(57)【要約】      （修正有）【課題】使用者により容易に情報処理装置を近づけられないような場所にＩＣタグが装着された商品等が存在する場合であって、容易にＩＣチップ内の情報を読み取り又は書き込むことができ、作業効率性を格段に高めることができる新規な情報処理装置を提供する。【解決手段】ＩＣチップと電波を受信又は送信するためのアンテナ回路３１とがハウジング１２に内蔵されてなる情報処理装置本体１１と、アンテナ装置７１と、を備えた情報処理装置１であって、このアンテナ装置７１は、棒状に成形された導電体又は先端まで至る長さの線状に成形された導電体７７を内蔵する棒体７６からなるアンテナ本体７２と、上記情報処理装置本体１１に着脱自在とされてなるとともに、上記アンテナ本体７２を構成する導電体７７を上記アンテナ回路３１との間で電波を送受信できる程度に近接させた状態で該アンテナ本体７２の基端側中途部を支持する支持体７３と、を備えてなる。【選択図】図１
0003145468.tif 000002
【実用新案登録請求の範囲】
【請求項１】
電波による送受信機能を備えたＩＣチップに書き込まれた情報を読み取る電子情報読取手段及び／又は電波による受信機能を備えたＩＣチップに電子情報を書き込む電子情報書込手段と、この又はこれらの電子情報読取手段及び／又は電子情報書込手段を構成する上記ＩＣチップと電波を受信又は送信するためのアンテナ回路とがハウジングに内蔵されてなる情報処理装置本体と、
アンテナ装置と、
を備えた情報処理装置であって、
このアンテナ装置は、棒状に成形された導電体又は先端まで至る長さの線状に成形された導電体を内蔵する棒体からなるアンテナ本体と、
上記情報処理装置本体に着脱自在とされてなるとともに、上記アンテナ本体を構成する導電体を上記アンテナ回路との間で電波を送受信できる程度に近接させた状態で該アンテナ本体の基端側中途部を支持する支持体と、
を備えてなることを特徴とする情報処理装置。
【請求項２】
前記アンテナ本体は、先端又は先端近傍において該アンテナ本体の長さ方向に対して直交する直交面が形成され、該直交面には導電体が渦巻き状に配置されてなることを特徴とする請求項１記載の情報処理装置。
【請求項３】
上記アンテナ本体は、全長が伸縮又は折り畳み可能な構造とされてなることを特徴とする請求項１又は２記載の何れかの情報処理装置。
【請求項４】
上記情報処理装置本体のハウジングには、前記アンテナ回路と電気的に接続するための一方の端子が形成されてなり、前記アンテナ本体の導電体の基端は、上記一方の端子に接続される他方の端子が形成されてなることを特徴とする請求項１，２又は３何れか記載の情報処理装置。
【考案の詳細な説明】
【技術分野】
【０００１】
本考案は、電波による送信機能を備えたＩＣチップに書き込まれた情報を読み取る電子情報読取手段や電波による受信機能を備えたＩＣチップに電子情報を書き込む電子情報書込手段等を備えた情報処理装置に関するものであって、特にこのＩＣチップが使用者が情報処理装置を用いて読み取りや書き込みがし難い状態にある場合に用いるものである。
【背景技術】
【０００２】
従来、ＩＣチップ等の記憶媒体に記録された情報を読み取る際に使用されている情報処理装置としては、所謂ハンディスキャナと称されるものが多用されている（特許文献１参照）。こうしたハンディスキャナは、バーコード化若しくは２次元コード化された識別コード情報を光学的に読み取るコード情報読取手段とともに、ＩＣチップの情報を電子的に電波により読み取るリーダーである電子情報読取手段やＩＣチップに情報を電子的に電波により書き込むライターである電子情報書込手段を備えている。また、この特許文献１に係るハンディスキャナはコンピュータと接続されるとともに、このコンピュータには、このＩＣチップが付された商品又は製品に対応する価格、製造年月日その他の商品又は製品情報等が記憶部に記憶されており、中央演算処理装置により、所定のプログラムに従って情報処理がなされる。そして、従来の情報処理装置では、使用者は、片手で読み取りや書き込みの対象となる商品又は製品を持ち上げる等の作業をしながら、他方の手で上記ハンディスキャナを把持しつつ、ＩＣチップの情報の読み取りや書き込みをしていた。また、上記電子情報読取手段及び電子情報書込手段は、読み取り及び書き込みのための電波の送信及び受信をするためのアンテナに接続されているが、このアンテナは該電子情報読取手段及び電子情報書込手段とともにこの情報処理装置のハウジングに内蔵されている。このため、この情報処理装置によってＩＣチップの情報を読み取りや書き込みの操作をする際には、この情報処理装置のハウジングをＩＣチップ（を含む現品票や、商品自体或いは商品等を納めた輸送用又は保管用の容器）に近づけている。
【特許文献１】特開２００１−３１９１９９号公報
【考案の開示】
【考案が解決しようとする課題】
【０００３】
しかしながら、上述した従来の情報処理装置では、上述したように、ハウジングに内蔵されているアンテナをＩＣチップ（を含む現品票や、商品自体或いは商品等を納めた輸送用又は保管用の容器）に近づけなければ、上記ＩＣチップの情報の読み取り又は書き込みの操作ができないことから、例えば、高い棚の上等の高所にＩＣチップが貼付された商品が位置している場合、或いは、足元等の低所にＩＣチップが貼付された商品が位置している場合、或いは、この従来の情報処理装置のハウジングを把持した使用者の手が届かないような狭い隙間の奥にＩＣチップが貼付された商品が位置するような場合には、上記ハウジングに内蔵されたアンテナを近づけるために台や脚立などの準備をしたり、使用者に不自然な姿勢を強いさせたり、或いは事実上近づけることが不能であったりし、作業効率性は極めて悪い。
【０００４】
そこで、本考案は、上述した情報処理装置が有する課題を解決するために提案されたものであって、使用者により容易に情報処理装置を近づけられないような場所にＩＣタグが装着された商品等が存在する場合であって、容易にＩＣチップ内の情報を読み取り又は書き込むことができ、作業効率性を格段に高めることができる新規な情報処理装置を提供することを目的とする。
【課題を解決するための手段】
【０００５】
上述した目的を達成するため、第１の考案（請求項１記載の考案）に係る情報処理装置は、電波による送受信機能を備えたＩＣチップに書き込まれた情報を読み取る電子情報読取手段及び／又は電波による受信機能を備えたＩＣチップに電子情報を書き込む電子情報書込手段と、この又はこれらの電子情報読取手段及び／又は電子情報書込手段を構成する上記ＩＣチップと電波を受信又は送信するためのアンテナ回路とがハウジングに内蔵されてなる情報処理装置本体と、アンテナ装置と、を備えた情報処理装置であって、このアンテナ装置は、棒状に成形された導電体又は先端まで至る長さの線状に成形された導電体を内蔵する棒体からなるアンテナ本体と、上記情報処理装置本体に着脱自在とされてなるとともに、上記アンテナ本体を構成する導電体を上記アンテナ回路との間で電波を送受信できる程度に近接させた状態で該アンテナ本体の基端側中途部を支持する支持体と、を備えてなることを特徴とするものである。
【０００６】
この第１の考案に係る情報処理装置は、ハウジングを備えており、このハウジング内には、電波による送受信機能を備えたＩＣチップに書き込まれた情報を読み取る電子情報読取手段と、電波による受信機能を備えたＩＣチップに電子情報を書き込む電子情報書込手段との両方又は何れか一方が内蔵されている。そして、これら電子情報読取手段と電子情報書込手段には、外部との電波の受信・送信のためのアンテナ回路が電気的に接続されており、この電子情報読取手段と電子情報書込手段によるＩＣチップとの間での電波による情報の送受信は、このアンテナ回路を介してなされる。なお、この情報処理装置本体は、上述したようなＩＣチップの情報の読み取りや書き込みの操作をすることを主な目的とするハンディスキャナに限られるものではなく、ＰＤＡ（パーソナル・デジタル・アシスタント）やモバイルＰＣに上述のようなＩＣチップの操作をする機能を付加したものも含まれる。また、上記アンテナ装置は、アンテナ本体と支持体とを備えている。このアンテナ本体は、導電性材料である金属又は導電性樹脂などを用いて、導電体自体を棒状に成形されたものとしても良く、或いは、導電性又は非導電性の何れかの材料（例えばゴムや樹脂）からなる棒体を用い、この棒体内に先端まで至る長さの線状に成形された導電体（例えば金属製のワイヤー）を内蔵するものとしても良い。また、この支持体は、上記情報処理装置本体に対して着脱自在に取り付けられるものであって、上記アンテナ本体を構成する導電体を該情報処理装置本体のハウジングに内蔵されたアンテナ回路と電波を送受信できる程度に近接させた状態としつつ、アンテナ本体の基端側中途部を支持する。なお、このアンテナ装置は支持体によって情報処理装置本体に着脱自在とされており、この着脱の手段としては、この支持体が情報処理装置本体へねじ止めされるものでも良く、或いは、支持体及び情報処理装置本体の双方また一方に形成されたかぎ状の部材等の係合部材による係合によるものでも良い。また、この情報処理装置が情報を読み取りや書き込みをするＩＣチップとしては、例えば、ＲＦＩＤの技術により近距離の無線通信によって情報の読み取りや書き込みをするためのＩＣタグ等がある。近年このＲＦＩＤの技術は、商品や製品に貼付されて在庫管理をするＰＯＳシステムや乗車カードや電子マネーに用いられている。なお、このＩＣタグがＲＦＩＤの技術によるものであるのなら、上記の電子情報読取手段や電子情報書込手段もＲＦＩＤの技術に適したものとされている。
【０００７】
このように、アンテナ装置のアンテナ本体である棒状に成形された導電体又は棒体に内蔵された導電体は、アンテナ装置の支持体によって、情報処理装置本体に内蔵されたアンテナ回路と電波を送受信できる程度に近接した状態で支持されることから、このアンテナ本体がＩＣチップの情報の読み取りや書き込みの操作のためのアンテナとして機能してＩＣチップの操作ができる。このため、使用者は、アンテナ回路を内蔵した情報処理装置本体自体を手で持ってＩＣチップ近傍に位置させずとも、このアンテナ本体の先端等をＩＣチップの近傍に位置させることによってもＩＣチップの操作ができる。したがって、使用者は自身の手が届かない箇所に位置するＩＣチップに対しても、このアンテナ本体の先端等がこのＩＣチップの近傍に位置させることができればこのＩＣチップの操作をすることができ、ひいては、このＩＣチップの操作のために使用者が手間をかけたり不自然な姿勢を強いられたりされることが無くなる。
【０００８】
また、このアンテナ装置の支持体は、情報処理装置本体に対して着脱自在とされてなることから、不要な時には、このアンテナ装置を情報処理装置本体から取り外すことができ、この情報処理装置本体を通常の情報処理装置として使用することができる。
【０００９】
また、第２の考案（請求項２記載の考案）に係る情報処理装置は、前記アンテナ本体は、先端又は先端近傍において該アンテナ本体の長さ方向に対して直交する直交面が形成され、該直交面には導電体が渦巻き状に配置されてなることを特徴とするものである。
【００１０】
この第２の考案に係る情報処理装置では、上述した棒状に成形された導電体又は先端まで至る長さの線状に成形された導電体を内蔵する棒体からなるアンテナ本体には、直交面が形成されている。この直交面は、アンテナ本体の先端又は先端近傍において該アンテナ本体の長さ方向に対して直交するものとされており、また、この直交面には、導電体が渦巻き状に配置されている。なお、この直交面に配置された導電体は、このアンテナ本体を構成する導電体と連続する（電気的に接続する）ものであっても良く、或いは、この直交面に配置された導電体とアンテナ本体を構成する導電体とは互いの間で電波を送受信できる程度に近接する状態とされても良い。このため、この情報処理装置の使用者が、ＩＣチップの情報の読み取りや書き込みの操作のためにアンテナ本体の先端をＩＣチップの近傍に位置させた際には、このアンテナ本体の導電体に加えて直交面上に配置された導電体もこのＩＣチップと対向することとなる。したがって、上記第１の考案に係る情報処理装置によってＩＣチップの操作をする場合に比べ、この第２の考案に係る情報処理装置では、ＩＣチップとアンテナ本体の導電体との対向する面積が広いものとなり、ＩＣチップの情報の読み取りや書き込みのための電波の送受信ができる範囲がより広がり、また、この情報の読み取りや書き込みがより確実にできる。
【００１１】
また、第３の考案（請求項３記載の考案）に係る情報処理装置は、上記アンテナ本体は、全長が伸縮又は折り畳み可能な構造とされてなることを特徴とするものである。
【００１２】
この第３の考案に係る情報処理装置では、上記のアンテナ本体を、全長を伸縮可能な構造、或いは、折り畳み可能な構造とされている。このアンテナ本体の全長を伸縮させるための構成としては、例えば、このアンテナ本体が基端から先端にかけて分割された数本の円筒状の部材からなるものとし、かつ、これらそれぞれの円筒状の部材は基端側に位置する円筒状の部材から先端側に位置する円筒状の部材にかけて順に直径の小さくなるものとすることにより、より先端側に位置する円筒状の部材をより基端側の位置する円筒状の部材の中に収納可能な構成とすれば良い。また、このアンテナ本体を折り畳み可能な構造とさせるための構成としては、例えば、このアンテナ本体が基端から先端にかけて分割された数本の部材からなるものとし、かつ、これらそれぞれの部材を互いに蝶番により接続されるものとすることにより、この蝶番によりそれぞれの部材がクランク状等に折り畳まれる構成とすれば良い。そして、このようにアンテナ本体が、全長が伸縮又は折り畳み可能な構造とされることにより、使用者がこのアンテナ装置を取り付けた情報処理装置を携帯して持ち運ぶ場合や使用しない場合に収納する場合には、アンテナ本体を縮め、又は折り畳むことにより、このアンテナ装置を取り付けたままでも携帯や収納に便利な情報処理装置となる。
【００１３】
また、第４の考案（請求項４記載の考案）に係る情報処理装置は、上記情報処理装置本体のハウジングには、前記アンテナ回路と電気的に接続するための一方の端子が形成されてなり、前記アンテナ本体の導電体の基端は、上記一方の端子に接続される他方の端子が形成されてなることを特徴とするものである。
【００１４】
この第４の考案に係る情報処理装置では、この情報処理装置を構成する情報処理装置本体のハウジングには、該情報処理装置本体に内蔵されるアンテナ回路と電気的に接続するための一方の端子が形成されている。また、この情報処理装置を構成するアンテナ装置のアンテナ本体が備える導電体の基端には、上記一方の端子と対応して接続可能な他方の端子が形成されている。これら一対の一方の端子及び他方の端子としては、一方の端子をハウジング表面に露出する金属片とし、他方の端子である金属片をこの一方の端子である金属片と当接するような位置関係とさせて電気的に接続するものとしても良く、或いは、例えば、オーディオ関連機器同士の接続で多く用いられている雌型（凹部）及び雄型（凸部）のピンジャック（ＲＣＡジャック等）を用いても良い。また、この一方の端子と他方の端子とは、互いに使用者が接続をした後にアンテナ装置を情報処理装置本体に取り付けるものとしても良く、或いは、アンテナ装置を情報処理装置本体に適切な位置に取り付けることによって、自動的にこれら一方の端子及び他方の端子が電気的に接続されるものとしても良い。そして、この第４の考案に係る情報処理装置は、この一方の端子と他方の端子とが電気的に接続されるものであることから、アンテナ本体がＩＣチップとの間で送信又は受信する情報をより確実に電子情報読取手段及び／又は電子情報書込手段に入出力でき、この情報の読み取りや書き込みをより確実にすることができる。
【考案の効果】
【００１５】
上記第１の考案（請求項１記載の考案）に係る情報処理装置によれば、上述のように、アンテナ装置のアンテナ本体である棒状に成形された導電体又は棒体に内蔵された導電体は、アンテナ装置の支持体によって、情報処理装置本体に内蔵されたアンテナ回路と電波を送受信できる程度に近接した状態で支持されることから、このアンテナ本体がＩＣチップの情報の読み取りや書き込みの操作のためのアンテナとして機能してＩＣチップの操作ができる。このため、使用者は、手で持った情報処理装置本体自体をＩＣチップ近傍に位置させずとも、このアンテナ本体の先端等をＩＣチップの近傍に位置させることによってもＩＣチップの操作ができる。したがって、使用者は自身の手が届かない箇所に位置するＩＣチップに対しても、このアンテナ本体の先端等がこのＩＣチップの近傍に位置させることができればこのＩＣチップの操作をすることができ、ひいては、このＩＣチップの操作のために使用者が手間をかけたり不自然な姿勢を強いられたりされることが無くなる。また、このアンテナ装置の支持体は、情報処理装置本体に対して着脱自在とされてなることから、このアンテナ装置が不要な時には、情報処理装置本体から取り外すことができ、この情報処理装置本体を通常の情報処理装置として使用することができる。すなわち、この考案によれば、高所や低所、或いは、手が届かないような狭い隙間の奥に位置するようなＩＣチップの情報の読み取りや書き込みの操作をする場合には、アンテナ装置を情報処理装置本体に取り付けて操作し、他方、アンテナ装置を使用する必要が無いＩＣチップの操作をする場合には、該アンテナ装置を取り外して情報の読み取りや書き込みの操作をすることができ、極めて使い勝手が良く作業効率性を格段に向上させることがえきる。
【００１６】
また、第２の考案（請求項２記載の考案）によれば、この情報処理装置の使用者が、ＩＣチップの情報の読み取りや書き込みの操作のためにアンテナ本体の先端をＩＣチップの近傍に位置させた際には、このアンテナ本体の導電体に加えて直交面上に配置された導電体もこのＩＣチップと対向することとなる。したがって、上記第１の考案に係る情報処理装置によってＩＣチップの操作をする場合に比べ、この第２の考案に係る情報処理装置では、ＩＣチップとアンテナ本体の導電体との対向する面積が広いものとなり、ＩＣチップの情報の読み取りや書き込みのための電波の送受信ができる範囲がより広がり、また、この情報の読み取りや書き込みがより確実にできる。
【００１７】
また、第３の考案（請求項３記載の考案）によれば、使用者がこのアンテナ装置を取り付けた情報処理装置を携帯して持ち運ぶ場合や使用しない場合に収納する場合には、アンテナ本体を縮め、又は折り畳むことにより、このアンテナ装置を取り付けたままでも携帯や収納に便利な情報処理装置となる。
【００１８】
また、第４の考案（請求項４記載の考案）によれば、一方の端子と他方の端子とが電気的に接続されるものであることから、この第４の考案に係る情報処理装置は、アンテナ本体がＩＣチップとの間で送信又は受信する情報をより確実に電子情報読取手段及び／又は電子情報書込手段に入出力でき、この情報の読み取りや書き込みをより確実にすることができる。
【考案を実施するための最良の形態】
【００１９】
以下、本考案を実施するための最良の形態に係る情報処理装置について図面を参照しながら詳細に説明する。
【００２０】
本考案の実施の形態に係る情報処理装置１は、図１ないし図４に示す構成とされており、ＩＣチップであるＲＦタグ１０１が付された商品又は製品に貼付された後述する現品票１０２に対して情報の読み取りや書き込みの操作をするものである。すなわち、この情報処理装置１は、使用者が手に把持し、或いは、手指に装着して使用する情報処理装置本体１１と、この情報処理装置本体１１に取り付けられてなるアンテナ装置７１とから構成されている。この情報処理装置本体１１は、内部に電気回路や電源などを内蔵するハウジング１２と、該ハウジング１２の下方に固定されている装着ベルト１３とから構成されている。
【００２１】
前記ハウジング１２の上面１４のやや正面側（或いは先端側、図１（Ａ）及び（Ｂ）に示す上端側）には透明板１５が取り付けられており、該透明板１５の直下内には、バーコード化若しくは２次元コード化された識別コード情報を光学的に読み取るコード情報読取手段６２を構成するレンズと発光部（符号は省略する。）が内蔵されている。また、上記ハウジング１２の上面１４の略中央であって、上記透明板１５よりもやや背面側には、この情報処理装置本体１１が読み取った情報や書き込む情報を使用者に通知し、或いは、この情報処理装置本体１１の現在の状態等の様々な情報を表示する液晶の表示部１６が配置されている。また、上記ハウジング１２の上面１４の背面側（上記表示部１６よりもやや背面側）には、４つの押しボタン状のスイッチ１７，１８，１９，２０が左右に並んで配置されており、使用者はこれらのスイッチ１７，１８，１９，２０の押し下げ操作によりこの情報処理装置１１の電源の入切や動作についての操作をすることができる。また、上記ハウジング１１の上面１４から左側に連続する傾斜面２１には（図１（Ｂ）参照）、ＬＥＤ（発光ダイオード）２２，２３，２４，２５が配置されており、また同様に、ハウジング１１の上面１４から右側に連続する傾斜面２６には、ＬＥＤ２７，２８，２９，３０が配置されている。これらＬＥＤ２２，２３，２４，２５，２７，２８，２９，３０が点灯することにより、この情報処理装置本体１１の電源の入切の状態や他の機器（例えば、後述するホストコンピュータ１１１）との通信の状態等のこの情報処理装置本体１１の現在の状態を示す。
【００２２】
また、上記透明板１５，表示部１６及びスイッチ１７，１８，１９，２０が配置されたこのハウジング１２の上面１４の直下には、外部に露出しないアンテナ３１が埋設されている。このアンテナ３１は、この後述する電子情報読取手段６３及び電子情報書込手段６４と接続されるものであって（図２参照）、該電子情報読取手段６３及び電子情報書込手段６４と後述する現品票１０２のＲＦタグ１０１のＲＦタグ側送受信手段１０６を構成する図示しないアンテナとの間での電波による情報の受信及び送信に用いられる。なお、このアンテナ３１は、本考案を構成するアンテナ回路である。また、このＲＦタグ１０１のＲＦタグ側送受信手段を構成するアンテナは、線状の導電体を平面上でコイル状にしたものである。また、上記アンテナ３１は線状の導電体からなり、図１（Ｂ）において破線で示すように、上記表示部１６の周囲をこの線状の導電体で囲うように配置されている。また、上記ハウジング１２の左側面３６には、押しボタン状のスイッチである左トリガー３７が配置されており、また、反対側の右側面３８には、押しボタン状のスイッチである右トリガー３９が配置されている。また、このハウジング１１の下面の背面側には電池蓋４１が配置されており、使用者はこの電池蓋４１を開閉することにより該ハウジング１２内に収納されている電池の交換等ができる。
【００２３】
また、上記ハウジング１２の正面側の下方には、装着ベルト１３が取り付けられている。すなわち、上記ハウジング１１の左側面３６及び右側面３８のそれぞれの下端部には、正面側及び背面側のそれぞれに二つずつ下方へ突出する右側の突出部４６ａ，４６ｂと、左側の突出部４７ａ等（もう一方は図示を省略する。）とが形成されている。これらの右側の突出部４６ａ，４６ｂ及び左側の突出部４７ａ等には図中に点線で示す軸穴（符号は省略する。）が形成されており、棒体４８ａ，４８ｂがこれらの軸穴の開口にそれぞれ挿通され固定されている。また、上記装着ベルト１３は合成繊維材であって、一端側において金属環４９を挿通しており、該装着ベルト１３の他端には一対の面ファスナー５０，５１が貼付されている。そして、この装着ベルト１３は上記棒体４８ａ，４８ｂと上記ハウジング１２の下面との間を挿通されるとともに、該装着ベルト１３の他端は上記金属環４９内を挿通して折り返され、上記一対の面ファスナー５０，５１により貼り合わされて環状となっている。このため、この情報処理装置本体１１を用いる使用者は、この装着ベルト１３内に右手（又は左手）の人差指と中指（或いは、これら以外の指）とを挿入して該情報処理装置本体１１を該右手（又は左手）に装着することができる。また、上記の環状とされた装着ベルト１３の内面であって、使用者が上述の要領で上記情報処理装置本体１１を装着した際に、該使用者の右手（又は左手）の人差指と中指との甲が接触する部位には、低反発性シート部材５２が貼付されている。
【００２４】
また、この情報処理装置本体１１内には、図２に構成を示す電子回路が内蔵されている。この電子回路は、演算処理、判別処理等をする情報処理装置側中央演算処理装置（以下、情報処理装置側ＣＰＵという）６１が設けられ、この情報処理装置側ＣＰＵ６１には、バーコード化若しくは２次元コード化された識別コード情報を光学的に読み取るコード情報読取手段６２と、ＲＦタグ１０１の記憶情報を読み取る電子情報読取手段６３と、ＲＦタグ１０１に特定の個別情報等を書き込む電子情報書込手段６４と、各種の情報を記憶する情報処理装置側記憶手段６５と、使用者に読み取りの契機等を知らせるブザー６６と、使用者に読み取りの契機等を知らせるバイブレータ６７と、情報処理装置側ＣＰＵ６１に接続され後述するホストコンピュータ１１１と各種情報の送受信をするための情報処理装置側送受信手段６８とがそれぞれ接続されている。また、上述した情報処理装置側ＣＰＵ６１には、ハウジング１２に取り付けられた表示部１６と、スイッチ１７，１８，１９，２０と、ＬＥＤ２２，２３，２４，２５，２７，２８，２９，３０と、左トリガー３７及び右トリガー３９とが接続されている。また、上述したアンテナ３１には、上記電子情報読取手段６３及び電子情報書込手段６４の何れもが接続されており、ＲＦタグ１０１との情報の読み取り及び書き込みの操作のために発信される電波、或いは受信される電波は、何れもこのアンテナ３１によって出力或いは入力がなされている。
【００２５】
なお、上記情報処理装置側記憶手段６５には、この情報処理装置本体１１自体が動作するために必要な情報や使用者に通知する情報のデータベース、すなわち、上記表示部１６への表示の内容や、上記スイッチ１７，１８，１９，２０，左トリガー３７及び右トリガー３９への使用者の操作に応じた該情報処理装置本体１１の動作、ＬＥＤ２２，２３，２４，２５，２７，２８，２９，３０の点灯、ブザー６６の発音、バイブレータ６７の作動、情報処理装置側送受信手段６８による情報の送信及び受信（及び、その送信及び受信に係る情報の内容や、送信及び受信の相手）等に関する情報について入力されている。特に上記表示部１６への表示の内容としては、この情報処理装置本体１１の電源を入れたときに表示される起動画面の文字列や、この情報処理装置本体１１自体の電源が入っていることを使用者に伝える文字列や、この情報処理装置本体１１がホストコンピュータ１１１等の他の機器との接続をしていること又は接続をしていないことを使用者に伝える文字列や、この情報処理装置本体１１へ次のデータが入力されることを待機していることを使用者に伝える文字列や、次に使用者が該情報処理装置本体１１について何を操作すべきであるかについて指示する文字列や、この情報処理装置本体１１のバッテリー電圧が低下したことを使用者に伝える文字列や、この情報処理装置本体１１が使用者により電源を切る操作をされた際に電源を切ることについて確認する旨を使用者に伝える文字列や、この情報処理装置本体１１の設定を変更する操作をされた際にこの設定の内容を使用者に確認する文字列が入力されている。
【００２６】
また、上記情報処理装置側記憶手段６５には、後述する各商品等の個別情報を一般的な文字（例えば、商品等の個別の商品名等）と対応させる変換テーブルの文字列等、或いは、上記情報処理装置側送受信手段６８が上記ホストコンピュータ１１１とブルートゥースの規格により通信をするために必要なプロトコルやパスキー（認証鍵）に関する情報や、これらの情報を用いた情報処理装置１の動作に必要なコマンドからなるプログラム等の情報も入力されている。また、この情報処理装置本体１１自体の動作に必要な情報については、情報処理装置側ＣＰＵ６１が上記情報処理装置側記憶手段６５に入力されたコマンドを直接読み込んで逐次実行するものとされていることから、このコマンドに関する定義や動作に関する情報が入力されているが、この情報処理装置側ＣＰＵ６１は上記情報処理装置側記憶手段６５に入力されたオペレーションシステムを介して入力された情報に基づいて動作するものとしても良く、このオペレーションシステムとしてはトロンやウインドウズＣＥ等を用いるものとしても良い。
【００２７】
また、以下に述べるこの実施の形態での情報処理装置本体１１の動作は、あくまで一例に過ぎず、使用者がこの情報処理装置１により行う作業に応じてこの情報処理装置本体１１の動作は適宜プログラムして定義することができる。すなわち、この実施の形態での情報処理装置本体１１では、後述するように左トリガー３７（図１参照）を押圧した際には上記コード情報読取手段６２，電子情報読取手段６３及び電子情報書込手段６４が一連の動作を連続して（使用者からすればほぼ同時に）動作をするものとしてプログラムが設定されているが、これら読み取り、書き込み、動作、発音、作動、情報の送信及び受信等のうち何れか一又は二のもののみが動作をするように設定するものとしても良い。なお、この情報処理装置本体１１の読み取り、書き込み、動作、発音、作動、情報の送信及び受信等をプログラムとして入力して設定する場合には、上記スイッチ１７，１８，１９，２０の動作により設定用のメニュー画面を上記液晶の表示部１６に表示させた上で該スイッチ１７，１８，１９，２０の操作により行うものとしても良い。また、予めこの情報処理装置本体１１（の情報処理装置側記憶手段６５）内に該情報処理装置本体１１の動作を設定するプログラムを複数入力しておき、これら複数のプログラムの内の何れを用いるかを使用者が選択できるものとしても良い。
【００２８】
また、この実施の形態での情報処理装置１は、図１及び図３に示すように、上述した情報処理装置本体１１にアンテナ装置７１が取り付けられてなるものである。このアンテナ装置７１は、アンテナ本体７２と、該アンテナ本体７２を上記情報処理装置本体１１に着脱自在に取り付けて支持する支持体７３とから構成されている。そして、このアンテナ本体７２は、中空状に形成された棒体７６と、該棒体７６に内蔵された電線７７と、該棒体７６の先端側端部に取り付けられた保護部材７８と、該棒体７６の先端側近傍に取り付けられた直交面体７９と、前記電線７７の基端側端部に取り付けられた当接部材８０とから構成されている。なお、この棒体７６，保護部材７８及び直交面体７９は何れも硬質なゴム製とされており、このため、この情報処理装置１の操作を誤ってこれら棒体７６，保護部材７８及び直交面体７９が他の物品及び人体に当接した場合にも、この棒体７６，保護部材７８及び直交面体７９や物品及び人体に対して損傷等を及ぼすことが無い。また、この棒体７６は、直径約５ミリメートル程度、長さ約７５センチメートル程度の中空状とされており、該棒体７６内には、図中に破線で示す該棒体７６の先端（保護部材７８側）から基端（当接部材８０側）に至る長さの線状の導電性の金属製の電線７７が内蔵されている。また、上記保護部材７８は、略円錐状とされて上記棒体７６の先端に固定されている。また、上記直交面体７９は、上記棒体７６の先端近傍に固定され、該棒体７６の長さ方向とは直交する平面（符号は省略する）を有するものとされている。なお、この直交面体７９は上述の通り硬質なゴム製とされているが、この直交面体７９内には、上記電線７７と同様の線状の導電性の金属製の電線８１が渦巻状に配置されて埋設されている。そして、この電線８１は電線７７と近接していることから、これらの間では電波の送受信が可能である。また、上記当接部材８０は、図４に示す正方形状の導電性の金属片であって、上記電線７７の基端側端部に固定されており、上記アンテナ装置７１が後述する支持体７３により上記情報処理装置本体１１に取り付けられた場合には、図１に示すように、この当接部材８０は該情報処理装置本体１１の正面に当接し、このため該当接部材８０は、本考案を構成するアンテナ回路であるアンテナ３１に近接され、相互の間で電波を送受信できる状態となる。
【００２９】
また、上記アンテナ装置７１の支持体７３は、上記棒体７６の基端側中途部を支持して固定するとともに、上記情報処理装置本体１１と着脱可能とされている。すなわち、この支持体７３は、図１，図３及び図４に示す形状とされており、上記情報処理装置本体１１に取り付けられる際に該情報処理装置本体１１の下面と密着して対向する長方形状の底板部８６と、この底板部８６と連続し、該情報処理装置本体１１に取り付けた際に先端側となる部位において略直方体箱状に成形されてなる先端部８７と、から構成されている。前記底板部８６には、ねじ穴８８，８９が形成されており、上記情報処理装置本体１１にアンテナ装置７１を取り付ける際には、図４に示すように、止めねじ９０，９１を該ねじ穴８８，８９に挿通させて情報処理装置本体１１の下面に形成された図示しない雌ねじにねじ止めをする。なお、アンテナ装置７１を情報処理装置本体１１に取り付ける際に上記装着ベルト１３等が邪魔となる場合には、図４に示すように適宜該装着ベルト１３等を取り外してからこのアンテナ装置７１を取り付けても良い。また、上記先端部８７であって上記情報処理装置本体１１の正面側（先端側）の側面と対向する面には、該正面側（先端側）の側面と直交する向きに先端側及び基端側に向けて突出する突出部９２が形成されており、また、該突出部９２の中心には貫通穴（符号は省略する）が形成されており、該貫通穴内には上記棒体７６が移動しないように挿通されている。そして、このアンテナ装置７１を上記情報処理装置本体１１に取り付けた場合には、該アンテナ装置７１の棒体７６の基端部に位置する当接部材８０は、該情報処理装置本体１１の正面側（先端側）の側面に当接するものとなっている。
【００３０】
また、使用者がこの情報処理装置１を用いて情報処理をするＲＦタグ１０１が付された現品票１０２について、図２及び図４を参照して説明する。この現品票１０２とは、一般に物流管理や生産管理、或いはそれらの受発注管理等に用いられるものであって、例えば、特定の工場が他の工場に対して商品等の納入の要求情報を記載したカードであって、商品自体或いは商品等を納めた輸送用又は保管用の容器に貼付され、表面には商品等の名称，仕様，数量，生産日時，納期，生産地，生産者或いは仕向地等の情報が記載されている。また特に近年では、この現品票１０２に上記情報を文字で記載することに加えて、該現品票１０２に上記情報についてのバーコード化や２次元コード化された識別コード情報を記載し、或いは、上記情報についての電子情報の受信又は送信の機能を有するＩＣチップを付加し、これら識別コード情報や電子情報を機械的に読み取り或いは書き込むことによって、この現品票１０２による商品等の管理をコンピュータにより容易，迅速且つ確実に行うことができるようにされている。この実施の形態で挙げる図２及び図４に示す現品票１０２には、識別コード情報として一般に良く用いられている２次元コードであるＱＲコード１０３が表面に印刷されてなるとともに、電子情報の受信及び送信の機能を有するＩＣチップであるＲＦタグ１０１を内蔵している。なお、このＲＦタグ１０１には、情報の処理を行うＲＦタグ側情報処理手段（以下、情報処理手段という）１０４と、ＲＦタグ側記憶手段１０５と、ＲＦタグ側送受信手段１０６と、を備えている。このＲＦタグ側送受信手段１０６は、上記情報処理装置本体１１の電子情報読取手段６３及び電子情報書込手段６４と対応して情報の送受信をするものであって、また、電子情報読取手段６３及び電子情報書込手段６４と接続されたアンテナ３１を介して情報の送受信をするための図示しないアンテナを備えている。また、この考案の実施の形態においては、説明の便宜上、ＲＦタグ１０１が情報処理手段１０４，ＲＦタグ側記憶手段１０５及びＲＦタグ側送受信手段１０６を備えるものとしているが、これら三つの情報処理手段１０４，ＲＦタグ側記憶手段１０５及びＲＦタグ側送受信手段１０６が物理的な部材としてそれぞれＲＦタグ１０１内にあるのではなく、これら三つの手段は何れも一つのＩＣチップからなるＲＦタグ１０１の回路上に形成されてなるものである。
【００３１】
また、この情報処理装置１は、ホストコンピュータ１１１と連携して動作する情報処理システムを構成しており、該情報処理装置１が現品票１０２のＲＦタグ１０１やＱＲコード１０３から読み取った情報を該ホストコンピュータ１１１へ送信し、また、送信された情報に基づいて該ホストコンピュータ１１１が該情報処理装置１へ送信した情報を該情報処理装置１が該ＲＦタグ１０１に書き込むものとされている。このホストコンピュータ１１１は、一般に市販されているパソコンと同様な構成とされてなるものであって、ホストコンピュータ側中央演算処理装置（以下、ホストコンピュータ側ＣＰＵという）１１２と、ホストコンピュータ側記憶手段１１３と、ホストコンピュータ側送受信手段１１４と、を備えており、また、該ホストコンピュータ１１１にはキーボードやマウス等の入力手段１１５、ディスプレイ等の表示手段１１６が接続されており、また、必要に応じて現品票等に文字の情報やＱＲコードの印刷を行うプリンタ１１７等とも接続されている。
【００３２】
なお、上記ホストコンピュータ側記憶手段１１４には、上記の通りこのホストコンピュータ１１１が一般に市販されているパソコンと同様な構成とされていることから、このホストコンピュータ１１１の動作に必要なオペレーションシステムが入力されている他、上記情報処理装置１から送信されるＱＲコード１０３の識別コード情報及びＲＦタグ１０１の個別情報に関するデータベースが入力されている。すなわちこのデータベースは、入力された識別コード情報や個別情報に対する個別情報が出力できるようにされており、具体的には、入力された識別コード情報に対応する商品等の名称，仕様，数量，生産日時，納期，生産地，生産者或いは仕向地等の情報等の個別情報が出力できるものとされている。
【００３３】
以下、この情報処理装置１による情報の読み取り及び書き込みの際の操作について説明する。なお、この情報処理装置１には、上述の通りＱＲコードを読み取るためのコード情報読取手段６２等の構成を含み、これによりこの上記情報処理装置１，現品票１０２のＲＦタグ１０１及びホストコンピュータ１１１による情報処理システムは互いに連携した動作をするものであるが、ここで述べる実施の形態では、ＲＦタグ１０１との情報の読み取り及び書き込みの操作について説明し、ＱＲコード１０３からの情報の読み取りの操作については省略し、また、この情報処理装置側１とホストコンピュータ１１１との連係の動作についても適宜省略する。
【００３４】
予め使用者は、図４に示すように情報処理装置本体１１にアンテナ装置７１の取り付けをし、この情報処理装置１が図１に示す状態となっていることを確認する。次いで使用者は、装着ベルト１３により自己の図示しない右手の人差指及び中指に情報処理装置１を装着し、また、スイッチ２７を押圧操作して該情報処理装置１の電源を入れる。なお、このように電源を入れることにより、上記ＬＥＤ２２，２７が点灯し、この情報処理装置１は使用者の操作に対して待機する状態となる。次いで使用者は適宜スイッチ２８，２９，３０を操作し、この情報処理装置１によりＲＦタグ１０１の情報の読み取りの動作をするか、或いは書き込みの動作をするかの何れかを設定する。そして使用者は、右手に装着した情報処理装置１を、図４に示すように保護部材７８がＲＦタグ１０１の近傍に位置するようにした上で、親指で左トリガー３７を押圧する。なお、この実施の形態では、使用者が右手に上記情報処理装置１を装着し、右手の親指で左トリガー３７を押圧するものとして説明しているが、該情報処理装置１の左トリガー３７を押圧したときも右トリガー３９を押圧したときも同様な動作をするようにされていることから、使用者は該情報処理装置１を左手に装着して左手の親指で右トリガー３９を押圧する場合にも、同様に使用することができる。そして、この情報処理装置１は左トリガー３７が押圧されることにより、先に設定したＲＦタグ１０１の情報の読み取り又は書き込みの何れかの動作をする。
【００３５】
すなわち、この情報処理装置１がＲＦタグ１０１の情報の読み取りの動作をするようにしていた場合には、情報処理装置本体１１の左トリガー３７の押圧に応じて該情報処理装置本体１１の情報処理装置側ＣＰＵ６１は電子情報読取手段６３を動作させ、該電子情報読取手段６３は、アンテナ３１よりＲＦタグ１０１のＲＦタグ側送受信手段１０６との間で電波の送受信をし、これにより該ＲＦタグ１０１のＲＦタグ側記憶手段１０５内に記憶された情報を読み出し、また、情報処理装置側ＣＰＵ６１は、この読み出した情報を情報処理装置側記憶手段６５に格納する。また、この情報処理装置側ＣＰＵ６１は、使用者がこの情報処理装置本体１１の動作について予めしておいた設定に応じ、必要であればこの読み出した情報を情報処理装置側送受信手段６８からホストコンピュータ１１のホストコンピュータ側送受信手段１１４に送信等をする。また、この情報処理装置１がＲＦタグ１０１の情報の書き込みの動作をするようにしていた場合には、情報処理装置本体１１の左トリガー３７の押圧に応じて該情報処理装置本体１１の情報処理装置側ＣＰＵ６１は電子情報書込手段６４を動作させ、該電子情報書込手段６４はアンテナ３１よりＲＦタグ１０１のＲＦタグ側送受信手段１０６との間で電波の送受信をし、これにより該ＲＦタグ１０１のＲＦタグ側記憶手段１０５内に情報を書き込む。また、この情報処理装置側ＣＰＵ６１は、使用者がこの情報処理装置本体１１の動作について予めしておいた設定に応じ、このＲＦタグ１０１のＲＦタグ側送受信手段１０６との間で電波の送受信をする前に、このＲＦタグ側記憶手段１０５に書き込む情報を予め情報処理装置側記憶手段６５から読み出し、或いは、書き込む情報をホストコンピュータ１１１のホストコンピュータ側記憶手段１１３からホストコンピュータ側送受信手段１１４を介して情報処理装置側記憶手段６５に読み込み、この書き込む情報を情報処理装置側送受信手段６８を介して送信等をする。
【００３６】
このように、アンテナ３１は、上記情報処理装置１によりＲＦタグ１０１と情報の読み取り及び書き込みの操作をするために電波の送受信をするものであるが、このアンテナ３１は、アンテナ装置７１の電線８１の基端側に取り付けられた当接部材８０と電波を送受信することができる程度に近接した位置関係となっている。したがって、従来の情報処理装置本体１１のみによりＲＦタグ１０１と情報の読み取り及び書き込みの操作をする場合には、該情報処理装置本体１１の上面１４近傍に位置するアンテナ３１を該ＲＦタグ１０１に近接させる必要があったのに対し、本考案に係る上記アンテナ装置７１を取り付けた情報処理装置本体１１によれば、該アンテナ装置７１の電線７７を内蔵する棒体７６の先端の保護部材７８を該ＲＦタグ１０１に近接すれば、該ＲＦタグ１０１の情報の読み取り及び書き込みを離れた位置から操作することができ、該情報処理装置本体１１のアンテナ３１を該ＲＦタグ１０１に近接させる必要がない。このため、ＲＦタグ１０１が情報処理装置１１を手に持った使用者の手が届かない箇所に位置するような場合であっても、本考案に係る情報処理装置１を用いる場合には、この保護部材７８をこのＲＦタグ１０１の近傍に位置させることができれば、使用者はこのＲＦタグ１０１の情報の読み取りや書き込みの操作をすることができ、ひいては、この情報の読み取りや書き込みの際に使用者が手間をかけたり不自然な姿勢を強いられたりされることが無くなる。また、このアンテナ装置７１の支持体７３が情報処理装置本体１１に対して止めねじ９０，９１によって着脱自在とされてなることから、このアンテナ装置７１が不要な時には、使用者はこの止めねじ９０，９１を外すことで情報処理装置本体１１から取り外すことができ、この情報処理装置本体１１を通常の情報処理装置本体１１のみとして使用することができる。また、この情報処理装置１の使用者が、ＲＦタグ１０１の情報の読み取りや書き込みの操作のために保護部材７８をＲＦタグ１０１の近傍に位置させた際には、この保護部材７８内の導電体である電線７７に加えて直交面体７９内に配置された導電体である電線８１もこのＲＦタグ１０１と対向することとなる。したがって、電線８１の面積の分だけＲＦタグ１０１と対向する面積が広いものとなり、ＲＦタグ１０１の情報の読み取りや書き込みのための電波の送受信ができる範囲がより広がり、また、この情報の読み取りや書き込みがより確実にできる。
【００３７】
なお、上記の情報処理装置１がＲＦタグ１０１の情報の読み取り又は書き込みの動作をする際には、この情報処理装置本体１１のブザー６６の発音やバイブレータ６７の動作をさせるものとしても良い。また、上述した情報処理装置本体１１とホストコンピュータ１１１との間の情報の送受信は、無線通信手段によるものとしているが、この無線通信手段としては具体的には、ブルートゥースやＷｉＦｉによるものとしても良く、或いは、これら情報処理装置本体１１とホストコンピュータ１１１はケーブルで接続して有線通信手段により互いに通信するものとされていても良い。また、上述した情報処理装置１の動作の実施の形態では、現品票１０２のＲＦタグ１０１の情報の読み取りの操作によって読み取った情報、或いは、書き込みの操作によって書き込む情報は、何れもこの情報処理装置本体１１を介してホストコンピュータ１１１に送信或いは受信するものとされ、この情報処理装置本体１１はホストコンピュータ１１１と連携して動作するものとされているが、この情報処理装置本体１１はこの送信或いは受信する情報を情報処理装置側記憶手段６５から読み出し或いは書き込みをするものとし、該ホストコンピュータ１１１と連携することなくこの情報処理装置１のみで単独でＲＦタグ１０１の情報の操作するものとしても良い。また、上述の通り、ここでは現品票１０２のＲＦタグ１０１との情報の読み取り及び書き込みの操作について説明したが、この情報処理装置１の情報処理装置本体１１は現品票１０２のＱＲコード１０３を読み取るためのコード情報読取手段６２等の構成を含んでいることから、このＱＲコード１０３の読み取りと上述したＲＦタグ１０１の情報の読み取り及び書き込みの操作とを連携するものとしても良いが、ここではこのコード情報読取手段６２の動作については説明を省略する。
【００３８】
また、本考案に係る情報処理装置１は上述したような情報処理装置本体１１及びアンテナ装置７１からなるものであって、既存の情報処理装置本体１１にこのアンテナ装置７１を取り付けることにより上述したような効果を得られるが、特にこのアンテナ装置７１の構成については、上述したものには限られない。すなわち、本考案に係る情報処理装置は、図５（Ａ）及び（Ｂ）に示す他の例のアンテナ装置１３１を上述した情報処理装置本体１１に取り付けるものとしても良い。このアンテナ装置１３１は、上記アンテナ装置７１と同じような構成となっており、アンテナ本体１３２と、該アンテナ本体１３２を上記情報処理装置本体１１に着脱自在に取り付けて支持する支持体１３３とから構成されている。そして、このアンテナ本体１３２は、一般にラジオ等で用いられている伸縮可能なアンテナと同様な構成となっている。すなわち、このアンテナ本体１３２は、３つの長い円筒状部材１３４，１３５，１３６と、該円筒状部材１３６の先端側端部に取り付けられた保護部材１３８と、該円筒状部材１３６の先端側近傍に取り付けられた直交面体１３９と、該円筒状部材１３４の基端側端部に取り付けられた図示しない当接部材とから構成されている。なお、この保護部材１３８及び直交面体１３９は何れも硬質なゴム製とされており、このため、この情報処理装置本体１１とアンテナ装置１３１からなる情報処理装置の操作を誤ってこれら保護部材１３８及び直交面体１３９が他の物品及び人体に当接した場合にも、この保護部材１３８及び直交面体１３９や物品及び人体に対して損傷等を及ぼすことが無い。また、この３つの円筒状部材１３４，１３５，１３６は、それぞれ導電性の金属を円筒状に成形したものであって、これら円筒状部材１３４，１３５，１３６は順にこのアンテナ本体１３２の基端側から先端側に位置し、また、径が順に小さいものとなっている。すなわち、このアンテナ本体１３２は基端側から先端側にかけて、径の太い円筒状部材１３４と、該円筒状部材１３４より径の細い円筒状部材１３５と、該円筒状部材１３５より径の細い円筒状部材１３６とを順に位置させて、円筒状部材１３４の先端側端部開口内に円筒状部材１３５の基端側端部が挿入されており、また、円筒状部材１３５の先端側端部開口内に円筒状部材１３６の基端側端部が挿入されている。なお、これら円筒状部材１３４，１３５，１３６の内部には、これら円筒状部材１３４，１３５，１３６が互いに抜けて脱落する事を防ぐための図示しないストッパが形成されている。このため、このアンテナ本体１３２は、図５（Ａ）に示すように上記円筒状部材１３４，１３５，１３６を伸長させることができるとともに、図５（Ｂ）に示すように、該円筒状部材１３４，１３５，１３６をそれぞれの内部入れて短縮させることができる。なお、これら円筒状部材１３４，１３５，１３６の長さはそれぞれ約２６センチメートル程度とされており、また、このアンテナ本体１３２を図５（Ａ）に示すように伸ばした場合の長さは約７５センチメートル程度とされている。また、上記保護部材１３８は、上述したアンテナ装置７１を構成する保護部材７８と同様なもので、略円錐状とされて上記円筒状部材１３６の先端に固定されている。また、上記直交面体１３９は、上述したアンテナ装置７１を構成する直交面体７９と同様なもので、上記円筒状部材１３６の先端近傍に位置し、該円筒状部材１３６の長さ方向とは直交するものとされている。なお、この直交面体１３９は上述の通り硬質なゴム製とされているが、この直交面体１３９内には、図中に破線で示す線状の導電性の金属からなる電線１３９ａが渦巻状に配置されて埋設されている。そして、この電線１３９ａは該円筒状部材１３６と近接していることから、これらの間では電波の送受信が可能である。また、上記の図示を省略した当接部材は、上述したアンテナ装置７１を構成する当接部材８０と同様なもので、導電性の金属片であって、上記円筒状部材１３４の基端部に固定されており、上記アンテナ装置１３１が後述する支持体１３３により上記情報処理装置本体１１に取り付けられた場合には、この当接部材は該情報処理装置本体１１の正面に当接し、このため該当接部材は、本考案を構成するアンテナ回路であるアンテナ３１に近接され、相互の間で電波を送受信できる状態となる。
【００３９】
また、上記アンテナ装置１３１の支持体１３３は、上述したアンテナ装置７１を構成する支持体７３と同様なもので、上記円筒状部材１３４の基端側中途部を支持して固定するとともに、上記情報処理装置本体１１と着脱可能とされている。すなわち、この支持体１３３は、図５（Ａ），（Ｂ）に示す形状とされており、上記情報処理装置本体１１に取り付けられる際には該情報処理装置本体１１の下面と密着して対向する長方形状の底板部１４１と、この底板部１４１と連続し、該情報処理装置本体１１に取り付けた際に先端側となる部位において略直方体箱状に成形された先端部１４２と、から構成されている。前記底板部１４１には、図示をしないねじ穴が形成されており、上記情報処理装置本体１１にアンテナ装置１３１を取り付ける際には、図示しない止めねじを該ねじ穴に挿通させて情報処理装置本体１１の下面に形成された図示しない雌ねじにねじ止めをする。また、上記先端部１４２であって上記情報処理装置本体１１の正面側（先端側）の側面と対向する面には、該正面側（先端側）の側面と直交する向きに先端側及び基端側に向けて突出する突出部１４４が形成されており、また、該突出部１４４の中心には貫通穴（符号は省略する）が形成されており、該貫通穴内には上記円筒状部材１３４が移動しないように挿通されている。このため、このアンテナ装置１３１を上記情報処理装置本体１１に取り付けた場合には、上述した該アンテナ装置１３１の円筒状部材１３４の基端部に位置する当接部材は、該情報処理装置本体１１の正面側（先端側）の側面に当接する。
【００４０】
このようなアンテナ装置１３１でも、上述した円筒状部材１３４，１３５，１３６は何れも導電性の金属からなるものであることから、この円筒状部材１３４，１３５，１３６の先端に固定された保護部材１３８をＲＦタグに近接させることにより、該ＲＦタグへの読み取り又は書き込みの操作の電波が該円筒状部材１３４，１３５，１３６を介して送受信され、また、該円筒状部材１３４の基端側端部に位置する上記の図示を省略した当接部材は、該情報処理装置本体１１の正面に当接し、このため該当接部材は、本考案を構成するアンテナ回路であるアンテナ３１との間で電波を送受信できる程度に近接させた状態となる。このように、このアンテナ装置１３１を情報処理装置本体１１に取り付けた情報処理装置である場合にも、この情報処理装置は、上記の情報処理装置本体１１とアンテナ装置７１とからなる情報処理装置１と同様に使用することができる。また、このアンテナ装置１３１では、図５（Ａ）及び（Ｂ）に示すようにアンテナ本体１３２の円筒状部材１３４，１３５，１３６が伸縮可能な構成となっていることから、使用者がこのアンテナ装置１３１を取り付けた情報処理装置を携帯して持ち運ぶ場合や使用しない場合に収納する場合には、アンテナ本体１３２を縮め、このアンテナ装置１３１を取り付けたままでも携帯や収納に便利な情報処理装置となる。
【００４１】
さらに、この考案に係る情報処理装置１を構成するアンテナ装置は、上述したアンテナ装置７１やアンテナ装置１３１のような構成のものに限られない。すなわち、本考案に係る情報処理装置は、図５（Ｃ）及び（Ｄ）に示すアンテナ装置１５１を上述した情報処理装置本体１１に取り付けるものとしても良い。このアンテナ装置１５１は、上記アンテナ装置７１，１３１と同じような構成となっており、アンテナ本体１５２と、該アンテナ本体１５２を上記情報処理装置本体１１に着脱自在に取り付けて支持する支持体１５３とから構成されている。このアンテナ本体１５２は、３つの長い角柱状部材１５４，１５５，１５６と、これら角柱状部材１５４，１５５，１５６をつなげる蝶番１５７，１５８と、該角柱状部材１５６の先端側端部に取り付けられた保護部材１５９と、該角柱状部材１５６の先端側近傍に取り付けられた直交面体１６０と、該角柱状部材１５４の基端側端部に取り付けられた図示しない当接部材とから構成されている。なお、この保護部材１５９及び直交面体１６０は何れも硬質なゴム製とされており、このため、この情報処理装置本体１１とアンテナ装置１３１からなる情報処理装置の操作を誤ってこれら保護部材１５９及び直交面体１６０が他の物品及び人体に当接した場合にも、この保護部材１５９及び直交面体１６０や物品及び人体に対して損傷等を及ぼすことが無い。また、この３つの角柱状部材１５４，１５５，１５６は、それぞれ導電性の金属を角柱状に成形したものであって、これら角柱状部材１５４，１５５，１５６は順にこのアンテナ本体１５２の基端側から先端側に位置している。そして、これら角柱状部材１５４の先端側端部近傍と、角柱状部材１５５の基端側探訪近傍及び先端側端部近傍と、角柱状部材１５６の基端側端部近傍には、それぞれ角柱状部材１５４，１５５，１５６の長さ方向と直交する向きに図示しない開口が形成されているとともに、これら角柱状部材１５４，１５５，１５６それぞれをつなげる導電性の金属製の蝶番１５７，１５８には、該角柱状部材１５４，１５５，１５６の上記図示しない開口に対応する位置に角柱状部材１５４，１５５，１５６の長さ方向と直交する向きに開口（符号は省略する。）が形成されており、また、この角柱状部材１５４，１５５，１５６及び蝶番１５７，１５８の開口内には、それぞれ回動軸１５７ａ，１５７ｂ，１５８ａ，１５８ｂが挿通されている。そして、この回動軸１５７ａ，１５７ｂ，１５８ａ，１５８ｂによりこれら角柱状部材１５４，１５５，１５６及び蝶番１５７，１５８は互いに回動する。このため、これら角柱状部材１５４，１５５，１５６及び蝶番１５７，１５８は図５（Ｃ）に示すように一直線状に延ばすことができるとともに、図５（Ｄ）に示すように互いに回動させて折り畳むことができる。なお、これら角柱状部材１５４，１５５，１５６の長さは約２６センチメートル程度とされており、また、このアンテナ本体１５２を図５（Ｃ）に示すように伸ばした場合の長さは約７５センチメートル程度とされている。また、上記保護部材１５９は、上述したアンテナ装置７１を構成する保護部材７８及びアンテナ装置１３１を構成する保護部材１３８と同様なもので、略円錐状とされて上記角柱状部材１５６の先端に固定されている。また、上記直交面体１６０は、上述したアンテナ装置７１を構成する直交面体７９及びアンテナ装置１３１を構成する直交面体１３９と同様なもので、上記角柱状部材１５６の先端近傍に固定され、該角柱状部材１５６の長さ方向とは直交する平面（符号は省略する）を有するものとされている。なお、この直交面体１６０は上述の通り硬質なゴム製とされているが、この直交面体１６０内には、図中に破線で示す線状の導電性の金属からなる電線１６０ａが渦巻状に配置されて埋設されており、また、この電線１６０ａは該角柱状部材１６０と近接していることから、これらの間では電波の送受信が可能である。また、上記の図示を省略した当接部材は、上述したアンテナ装置７１を構成する当接部材８０と同様なもので、導電性の金属片であって、上記角柱状部材１５４の基端部に取り付けられており、上記アンテナ装置１５１が後述する支持体１５３により上記情報処理装置本体１１に取り付けられた場合には、この当接部材は該情報処理装置本体１１の正面に当接し、このため該当接部材は、本考案を構成するアンテナ回路であるアンテナ３１に近接され、相互の間で電波を送受信できる状態となる。
【００４２】
また、上記アンテナ装置１５１の支持体１５３は、上述したアンテナ装置７１を構成する支持体７３及び上記アンテナ装置１３１の支持体１３３と同様なもので、上記角柱状部材１５４の基端側中途部を支持して固定するとともに、上記情報処理装置本体１１と着脱可能とされている。すなわち、この支持体１５３は図５（Ｃ）及び（Ｄ）に示す形状とされており、上記情報処理装置本体１１に取り付けられる際には該情報処理装置本体１１の下面と密着して対向する長方形状の底板部１６１と、この底板部１６１と連続し、該情報処理装置本体１１に取り付けた際に先端側となる部位において略直方体箱状に成形された先端部１６２と、から構成されている。この底板部１６１には、図示をしないねじ穴が形成されており、上記情報処理装置本体１１にアンテナ装置１５１を取り付ける際には、図示しない止めねじを該ねじ穴に挿通させて情報処理装置本体１１の下面に形成された図示しない雌ねじにねじ止めをする。また、上記先端部１６２であって上記情報処理装置本体１１の正面側（先端側）の側面と対向する面には、該正面側（先端側）の側面と直交する向きに先端側及び基端側に向けて突出する突出部１６４が形成されており、また、該突出部１６４の中心には貫通穴（符号は省略する）が形成されており、該貫通穴内には上記角柱状部材１５４が移動しないように挿通されている。このため、このアンテナ装置１５１を上記情報処理装置本体１１に取り付けた場合には、上述した該アンテナ装置１５１の角柱状部材１５４の基端部に位置する当接部材は、該情報処理装置本体１１の正面側（先端側）の側面に当接する。
【００４３】
このようなアンテナ装置１５１でも、上述した角柱状部材１５４，１５５，１５６は何れも導電性の金属からなるものであることから、この角柱状部材１５４，１５５，１５６の先端に固定された保護部材１５９をＲＦタグ１０１に近接させることにより、該ＲＦタグへの読み取り又は書き込みの操作の電波が該角柱状部材１５４，１５５，１５６を介して送受信され、また、該角柱状部材１３４の基端側端部に位置する上記の図示を省略した当接部材は、該情報処理装置本体１１の正面に当接し、このため該当接部材は、本考案を構成するアンテナ回路であるアンテナ３１との間で電波を送受信できる程度に近接させた状態となる。このように、このアンテナ装置１５１を情報処理装置本体１１に取り付けた情報処理装置である場合にも、この情報処理装置は、上記の情報処理装置本体１１とアンテナ装置７１とからなる情報処理装置１、或いは、上記の情報処理装置本体１１とアンテナ装置１３１とからなる情報処理装置と同様に使用することができる。また、このアンテナ装置１５１では、図５（Ｃ）及び（Ｄ）に示すようにアンテナ本体１５２の角柱状部材１５４，１５５，１５６が折り畳み可能な構成となっていることから、使用者がこのアンテナ装置１５１を取り付けた情報処理装置を携帯して持ち運ぶ場合や使用しない場合に収納する場合には、アンテナ本体１５２を折り畳み、このアンテナ装置１５１を取り付けたままでも携帯や収納に便利な情報処理装置となる。
【００４４】
さらに、この考案に係る情報処理装置１を構成するアンテナ装置は、上述したアンテナ装置７１，１３１，１５１のような構成のものに限られない。すなわち、本考案に係る情報処理装置１は、図６（Ａ）に示すアンテナ装置１７１を上述した情報処理装置本体１１に図６（Ｂ）に示すように取り付けるものとしても良い。このアンテナ装置１７１は、アンテナ本体１７２と、該アンテナ本体１７２を上記情報処理装置本体１１に着脱自在に取り付けて支持する支持体１７３とから構成されている。このアンテナ本体１７２は、上述したアンテナ装置７１のアンテナ本体７２と同様な構成とされており、中空状に成形された棒体１７６と、該棒体１７６に内蔵された電線１７７と、該棒体１７６の先端側端部に取り付けられた保護部材１７８と、該棒体１７６の先端側近傍に取り付けられた直交面体１７９とから構成されている。なお、この棒体１７６，保護部材１７８及び直交面体１７９は何れも硬質なゴム製とされており、このため、この情報処理装置１の操作を誤ってこれら棒体１７６，保護部材１７８及び直交面体１７９が他の物品及び人体に当接した場合にも、この棒体１７６，保護部材１７８及び直交面体１７９や物品及び人体に対して損傷等を及ぼすことが無い。また、この棒体１７６は、直径約５ミリメートル程度、長さ約７５センチメートル程度の中空状とされており、該棒体１７６内には、図中に破線で示す線状の導電性の金属製の電線１７７が内蔵されている。なお、この電線１７７は、上記棒体１７６の先端（保護部材１７８側）から、後述するように支持体１７３内に形成された表示部用開口１８８の周囲にまで配置されるような長さとされている。また、上記保護部材１７８は、略円錐状とされて上記棒体１７６の先端に固定されている。また、上記直交面体１７９は、上記棒体１７６の先端近傍に固定され、該棒体１７６の長さ方向とは直交する平面（符号は省略する）を有するものとされている。なお、この直交面体１７９は上述の通り硬質なゴム製とされているが、この直交面体１７９内には、上記電線１７７と同様の線状の導電性の金属製の電線１８１が渦巻状に配置されて埋設されている。そして、この電線１８１は電線１７７と近接していることから、これらの間では電波の送受信が可能である。
【００４５】
また、上記アンテナ装置１７１の支持体１７３は、上記棒体１７６の基端側端部を支持して固定するとともに、上記情報処理装置本体１１と着脱可能とされている。すなわち、この支持体１７３は図６に示す形状とされており、上記情報処理装置本体１１に取り付けられる際に該情報処理装置本体１１の上面１４と密着して対向する長方形状の対向板部１８６と、この対向板部１８６と連続し、該情報処理装置本体１１に取り付けた際に先端側となる部位において直交方向に折曲されてなる先端板部１８７と、から構成されている。前記対向面部１８６には、上述した表示部用開口１８８と、コード情報読取手段用開口１８９と、左ベルト固定部１９０と、右ベルト固定部１９１とが形成されている。この表示部用開口１８８及びコード情報読取手段用開口１８９は、それぞれ情報処理装置本体１１の上面１４に形成された表示部１６及びコード情報読取手段６２を構成するレンズと発光部を被覆する透明板１５と対応する位置及び大きさとされており、このため、このアンテナ装置１７１を情報処理装置本体１１に取り付けて、該アンテナ装置１７１の支持体１７３の対向面部１８６が該情報処理装置本体１１の上面１４上に位置した場合であっても、使用者は上記表示部用開口１８８から表示部１６の表示内容を見ることができ、また、コード情報読取手段用開口１８９から透明板１５が露出することから、この情報処理装置本体１１はアンテナ装置１７１を取り付けていない場合と同様に用いることができる。また、この対向面部１８６の左側端部に形成された左ベルト固定部１９０は、正面側突出部１９０ａと背面側突出部１９０ｂと図示しない棒体とからなり、この図示しない棒体には、左ベルト１９２の一端が固定されている。また同様に、この対向面部１８６の右側端部に形成された右ベルト固定部１９１は、正面側突出部１９１ａと背面側突出部１９１ｂと図示しない棒体とからなり、この図示しない棒体には、右ベルト１９３の一端が固定されている。そして、これら左ベルト１９２及び右ベルト１９３にはそれぞれ面ファスナー１９２ａ，１９３ａが貼付されている。このため、このアンテナ装置１７１を情報処理装置本体１１に取り付ける際には、この対向面部１８６に形成された上記表示部用開口１８８及びコード情報読取手段用開口１８９が該上面１４に位置する表示部１６及び透明板１５とそれぞれ対応する位置にさせつつ上記対向面部１８６を該情報処理装置本体１１の上面１４に載置させ、ついで、上記左ベルト１９２及び右ベルト１９３を該情報処理装置本体１１の下面に巻回させた上でこれら左ベルト１９２及び右ベルト１９３を上記面ファスナー１９２ａ，１９３ａにより貼付し、これによってこのアンテナ装置１７１は図６（Ｂ）に示すように情報処理装置本体１１に取り付けることができる。なお、上記左ベルト固定部１９０及び右ベルト固定部１９１は何れも、図６（Ｂ）に示すように、左ベルト１９２及び右ベルト１９３が情報処理装置本体１１に形成されたＬＥＤ２２，２３，２４，２５，２７，２８，２９，３０の表示の観察を邪魔しないように位置している。
【００４６】
また、上記先端板部１８７であって上記情報処理装置本体１１の正面側（先端側）の面と対向する面には、該正面側（先端側）の面と直交する向きに先端側に向けて突出する突出部１９４が形成されており、また、該突出部１９４の中心には図示しない開口が形成されており、該開口内には上記棒体１７６が移動しないように挿通されている。そして、上述の通り、この棒体１７６内に内蔵された電線１７７は、該棒体１７６の基端部から上記支持体１７３内に埋設されて、図６（Ａ）及び（Ｂ）中に点線で示すように上記表示部用開口１８８の外周に位置するものとされており、このためこの電線１７７は、本考案を構成するアンテナ回路であるアンテナ３１との間で電波を送受信できる程度に近接され、相互の間で電波を送受信できる状態となる。
【００４７】
このようなアンテナ装置１７１でも、上述した棒体１７６内には先端にまで至る長さの導電性の金属製の電線１８１が内蔵されていることから、この棒体１７６の先端に固定された保護部材１７８をＲＦタグ１０１に近接させることにより、該ＲＦタグへの読み取り又は書き込みの操作の電波が該電線１８１を介して送受信され、また、該電線１８１は、上記支持体１７３の対向板部１８６内に埋設されて該情報処理装置本体１１の上面１４と対向し、このため該該電線１８１は、本考案を構成するアンテナ回路であるアンテナ３１との間で電波を送受信できる程度に近接させた状態となる。このように、このアンテナ装置１７１を情報処理装置本体１１に取り付けた情報処理装置である場合にも、この情報処理装置は、上記の情報処理装置本体１１とアンテナ装置７１とからなる情報処理装置１、上記の情報処理装置本体１１とアンテナ装置１３１とからなる情報処理装置、或いは、上記の情報処理装置本体１１とアンテナ装置１５１とからなる情報処理装置と同様に使用することができる。特にこのアンテナ装置１７１での電線１７７と情報処理装置本体１１のアンテナ３１との距離は、上記アンテナ装置７１，１３１，１５１での当接部材８０と該アンテナ３１との距離に比べてより近接したものとなっており、ＲＦタグの情報の読み取り及び書き込みの操作がより確実にできるものとなっている。また、このアンテナ装置１７１では、情報処理装置本体１１とは左ベルト１９２及び右ベルト１９３それぞれの面ファスナー１９２ａ，１９３ａの貼付によって上記図６（Ｂ）に示すように取り付けられており、このアンテナ装置１７１は容易に情報処理装置本体１１に着脱することができることから、使用者がこの情報処理装置本体１１のみを使用し、携帯し、或いは収納する際にも便利な情報処理装置となる。
【００４８】
さらに、この考案に係る情報処理装置を構成する情報処理装置本体及びアンテナ装置は、上述した情報処理装置本体１１やアンテナ装置７１，１３１，１５１，１７１のような構成のものに限られない。すなわち、本考案に係る情報処理装置２０１を、それぞれ図７（Ａ）に示す情報処理装置本体２１１及び図７（Ｂ）に示すアンテナ装置２２１からなるものとしても良い。この情報処理装置本体２０１は、上記情報処理装置本体１１とほぼ同じ構成となっており、このためこの情報処理装置本体２０１についての説明は省略し、また、図７（Ａ）においても符号は省略するが、この情報処理装置本体２０１は、内蔵されたアンテナ３１と電気的に接続された端子２１２が該情報処理装置本体２１１の正面（先端側面）２１３より突出している点でのみ該情報処理装置本体１１と相違する。なお、この端子２１２は、本考案を構成する一方の端子である。また、このアンテナ装置２２１も、上記アンテナ装置７１とほぼ同じ構成となっており、このためこのアンテナ装置２２１についての説明は省略し、また、図７（Ｂ）においても符号は省略するが、該アンテナ装置２２１では上記アンテナ装置７１を構成する当接部材８０に替えて、上記情報処理装置本体２１１の端子２１２と対応する凹状に成形された係合部材２２２が用いられている点でのみ該アンテナ装置７１と相違する。なお、この係合部材２２２は、本考案を構成する他方の端子である。
【００４９】
上述した情報処理装置２０１は、上記情報処理装置本体２１１と、該情報処理装置本体２１１に取り付けられてなるアンテナ装置２２１と、から構成されている。そして、これら情報処理装置本体２１１とアンテナ装置２２１とは、上記情報処理装置本体２１１の端子２１２と、上記アンテナ装置２２１の係合部材２２２とは、図７中に一点鎖線で示すように係合するものとされており、この係合により、該情報処理装置本体２１１のアンテナ３１は、該アンテナ装置２２１のアンテナ本体７２の電線８１と電気的に接続されながら取り付けられる。したがって、このような構成とされた情報処理装置２０１は、端子２１２と係合部材２２２とが電気的に接続されるものであることから、当接部材８０とアンテナ３１とが離間した情報処理装置１に比べ、ＲＦタグ１０１との間で送信又は受信する情報をより確実に電子情報読取手段６３及び／又は電子情報書込手段６４に入出力でき、この情報の読み取りや書き込みを更に確実にすることができる。
【図面の簡単な説明】
【００５０】
【図１】本考案の実施の形態に係る情報処理装置を示し、（Ａ）は（Ｂ）の側面図、（Ｂ）は正面図、（Ｃ）は（Ｂ）の上面図であって天地を逆に図示した図である。
【図２】本考案の実施の形態に係る情報処理装置，ホストコンピュータ及び現品票の構成を示すブロック図である。
【図３】本考案の実施の形態に係るアンテナ装置を示し、（Ａ）は断面図、（Ｂ）は下面図である。
【図４】本考案の実施の形態に係る情報処理装置の使用の状態を示す斜視図である。
【図５】本考案の他の実施の形態に係るアンテナ装置を示す側面図である。
【図６】本考案の他の実施の形態に係るアンテナ装置及び情報処理装置本体を示し、（Ａ）は斜視図、（Ｂ）は側面図である。
【図７】本考案の他の実施の形態に係るアンテナ装置及び情報処理装置本体を示し、（Ａ）は側面図、（Ｂ）は断面面図である。
【符号の説明】
【００５１】
１  情報処理装置
１１  情報処理装置本体
１２  ハウジング
３１  アンテナ
６３  電子情報読取手段
６４  電子情報書込手段
７１  アンテナ装置
７２  アンテナ本体
７３  支持体
７６  棒体
７７  電線
７９  直交面体
８０  当接部材
８１  電線
１０１  ＲＦタグ
１３１  アンテナ装置
１３２  アンテナ本体
１３３  支持体
１３４，１３５，１３６  円筒状部材
１３９  直交面体
１５１  アンテナ装置
１５２  アンテナ本体
１５３  支持体
１５４，１５５，１５６  角柱状部材
１５７，１５８  蝶番
１５７ａ，１５７ｂ，１５８ａ，１５８ｂ  回動軸
１６０  直交面体
１７１  アンテナ装置
１７２  アンテナ本体
１７３  支持体
１７６  棒体
１７７  電線
１７９  直交面体
１８１  電線
２０１  情報処理装置
２１１  情報処理装置本体
２１２  端子
２２１  アンテナ装置
２２２  係合部材
【図１】
0003145468.tif 000003
【図２】
0003145468.tif 000004
【図３】
0003145468.tif 000005
【図４】
0003145468.tif 000006
【図５】
0003145468.tif 000007
【図６】
0003145468.tif 000008
【図７】
0003145468.tif 000009